(57)【要約】【課題】  、簡易な構成により、表示するのに必要以上のレーザ光が外部に照射されることを防ぎ、装置全体の信頼性を向上させることが可能な画像表示装置及びレーザ機器を提供すること。【解決手段】  被投射面５２に向けてレーザ光を射出する光源装置と、該光源装置から射出されたレーザ光を走査する走査手段と、光源装置から射出されたレーザ光の光路の延長上に配置された部材５２に加わる外力を検出する外力検出手段５と、該外力検出手段５により外力を検出した際、被投射面５２に射出されるレーザ光を停止あるいは減光する光制御手段とを備えることを特徴とする。【選択図】  図２
2007047529.tif 000002
【特許請求の範囲】
【請求項１】
被投射面に向けてレーザ光を射出する光源装置と、
該光源装置から射出されたレーザ光を走査する走査手段と、
前記光源装置から射出されたレーザ光の光路の延長上に配置された部材に加わる外力を検出する外力検出手段と、
該外力検出手段により外力を検出した際、前記被投射面に射出されるレーザ光を停止あるいは減光する光制御手段とを備えることを特徴とする画像表示装置。
【請求項２】
前記部材が前記被投射面をなすスクリーンであり、
前記外力検出手段が、前記スクリーンの一端に設けられ前記スクリーンに外力が加わった際、前記スクリーンの移動に応じて接続あるいは切断されるスイッチ部を備えることを特徴とする請求項１に記載の画像表示装置。
【請求項３】
前記外力検出手段が、前記スクリーンの他端に設けられ前記スクリーンに外力が加わった際、前記スクリーンを回動させるヒンジを備えることを特徴とする請求項２に記載の画像表示装置。
【請求項４】
前記光制御手段が、前記光源装置の電源の電力供給回路の一部に設けられ、前記部材に外力が加わった際、前記電力供給回路がオープン状態となるスイッチ部から構成され前記外力検出手段を兼ねていることを特徴とする請求項１に記載の画像表示装置。
【請求項５】
前記光制御手段が、前記被投射面に投射されるレーザ光を遮光可能な遮光部材を備え、前記光源装置から射出されたレーザ光が遮光されるように前記遮光部材の動作を制御することを特徴とする請求項１から請求項４のいずれか１項に記載の画像表示装置。
【請求項６】
前記部材が破損したか否かを検出する破損検出手段を備え、
前記破損検出手段が、前記部材の破損を検出した際、前記光制御手段が前記レーザ光を停止するか、あるいは、前記レーザ光を減光したままの状態とすることを特徴とする請求項１から請求項５のいずれか１項に記載の画像表示装置。
【請求項７】
前記破損検出手段が、前記被投射面に対して走査しつつ、前記被投射面の一部を撮像する撮像部を備えることを特徴とする請求項６に記載の画像表示装置。
【請求項８】
レーザ光を射出する光源装置と該光源装置から射出されたレーザ光を走査する走査手段とを有し、前記光源装置から射出されたレーザ光を走査するレーザ機器において、
前記光源装置から射出されたレーザ光の光路の延長上に配置された部材に加わる外力を検出する外力検出手段と、
該外力検出手段により外力を検出した際、前記被投射面に射出されるレーザ光を停止あるいは減光する光制御手段とを備えることを特徴とするレーザ機器。
【発明の詳細な説明】
【技術分野】
【０００１】
本発明は、光源装置から射出された光を被投射面に投射して画像表示を行う画像表示装置及びレーザ機器に関する。
【背景技術】
【０００２】
従来、レーザ光をスクリーン（被投射面）上で走査させることによって画像を表示する背面投射型のプロジェクタが提案されている。このプロジェクタでは、レーザ光の供給を停止することによって完全な黒を表示できるため、例えば液晶ライトバルブを用いたプロジェクタに比べて高コントラストな表示が可能である。また、レーザ光は指向性が高いので、投射光学系を簡略化することができる。このため、プロジェクタを小型且つ簡易な構成にすることができる。さらに、赤色，緑色，青色等の複数のレーザ光を組み合わせることによって容易にカラー化でき、しかも、レーザ光は単色性が高いので色純度の高いカラー表示が可能となる。
ところで、レーザ光を用いて画像を表示する場合には、表示するのに必要以上のレーザ光が装置外部に照射されないよう安全性には十分に配慮する必要がある。このため、プロジェクタの安全機構に関する技術が提案されている（例えば、特許文献１及び特許文献２参照。）。
【０００３】
特許文献１に記載の背面投射型ディスプレイ装置は、透過型スクリーンに設けられた複数の透明導電膜と、各透明導電膜に電圧が印加されているか否かを判定する電圧判定ブロックとを備えている。そして、偶発的または故意に、透過型スクリーンに破損箇所が生じた場合、破損が生じた箇所の透明導電膜が導電しなくなるため、電圧判定ブロックにより、レーザビーム光源からの出力をオフにするものである。
また、特許文献２に記載のプロジェクタは、スクリーン全体からの反射光を受光するスクリーン監視部と、このスクリーン監視部からの出力に応じてレーザ光源からのビーム光の供給を停止するビーム光供給停止部とを有している。そして、スクリーン監視部により、スクリーンの異常を検出すると、ビーム光供給停止部によりレーザ光源の発振を停止するものである。また、ビーム光供給停止部として、シャッタを用いることにより、レーザ光源から射出されたレーザ光を遮蔽している。
【特許文献１】特開２００２−２８１５３２号公報
【特許文献２】特開２００４−３４１２１０号公報
【発明の開示】
【発明が解決しようとする課題】
【０００４】
しかしながら、上記特許文献１においては、透過型スクリーンに破損箇所が生じてから、レーザビーム光源からの出力をオフするため、表示するのに必要以上のレーザ光が外部に射出されるおそれがある。また、特許文献２に記載のプロジェクタは、スクリーン監視部を用いてスクリーン全体の状態を検出しているため、装置全体が大型化・複雑化してしまい、コストの増大を招いてしまう。
以上、画像表示装置の例を挙げて説明したが、レーザ加工機器等、他のレーザ機器にも同様の問題点がある。
【０００５】
本発明は、上記の課題を解決するためになされたものであって、簡易な構成により、表示するのに必要以上のレーザ光が外部に照射されることを防ぎ、装置全体の信頼性を向上させることが可能な画像表示装置及びレーザ機器を提供することを目的とする。
【課題を解決するための手段】
【０００６】
上記目的を達成するために、本発明は、以下の手段を提供する。
本発明の画像表示装置は、被投射面に向けてレーザ光を射出する光源装置と、該光源装置から射出されたレーザ光を走査する走査手段と、前記光源装置から射出されたレーザ光の光路の延長上に配置された部材に加わる外力を検出する外力検出手段と、該外力検出手段により外力を検出した際、前記被投射面に射出されるレーザ光を停止あるいは減光する光制御手段とを備えることを特徴とする。
【０００７】
本願発明者は、装置を構成する部材が破損する際には、その前に部材に外力が加わることが多いことに着目した。本発明に係る画像表示装置では、光源装置から射出されたレーザ光が、走査手段により走査され、被投射面上に投射される。そして、光源装置から射出されたレーザ光の光路の延長上に配置された部材に何らかの理由で外力が加わった場合、光制御手段により、被投射面に射出されるレーザ光を停止あるいは減光する。したがって、外力検出手段により部材に外力が加わったことを検出、すなわち、装置の異常の前兆を検出して、光制御手段により光源装置を制御するので、実際に異常が起きる前に対策を施すことになる。したがって、実際に破損したかを検出するよりも、外力が加わったかどうかを検出する方が装置としては、簡易な構成になり、表示するのに必要以上のレーザ光が外部に照射されることを防ぎ、装置全体の信頼性を向上させることが可能となる。
【０００８】
また、本発明の画像表示装置は、前記部材が前記被投射面をなすスクリーンであり、
前記外力検出手段が、前記スクリーンの一端に設けられ前記スクリーンに外力が加わった際、前記スクリーンの移動に応じて接続あるいは切断されるスイッチ部を備えることが好ましい。
【０００９】
本発明に係る画像表示装置では、光源装置から射出されたレーザ光が、走査手段により走査され、スクリーン上に投射される。そして、光源装置から射出されたレーザ光の光路の延長上に配置された部材、すなわち、スクリーンに何らかの理由で外力が加わった場合、スイッチ部が切断され、光制御手段により、スクリーンに射出されるレーザ光を停止あるいは減光する。したがって、スイッチ部によりスクリーンに外力が加わったことを検出することができるので、簡易な構成により、表示するのに必要以上のレーザ光が外部に照射されることを防ぐことができる。
【００１０】
また、本発明の画像表示装置は、前記外力検出手段が、前記スクリーンの他端に設けられ前記スクリーンに外力が加わった際、前記スクリーンを回動させるヒンジを備えることが好ましい。
【００１１】
本発明に係る画像表示装置では、光源装置から射出されたレーザ光が、走査手段により走査され、スクリーン上に投射される。そして、光源装置から射出されたレーザ光の光路の延長上に配置された部材、すなわち、スクリーンに何らかの理由で外力が加わった場合、ヒンジを介してスクリーンが回動する。これにより、スイッチ部が切断され、光制御手段により、スクリーンに射出されるレーザ光を停止あるいは減光する。したがって、スクリーンに外力が加わった場合、スクリーンがヒンジを介して回動することになるので、ある程度の外力であれば、スクリーンの破損を防止することできる。
【００１２】
また、本発明の画像表示装置は、前記光制御手段が、前記光源装置の電源の電力供給回路の一部に設けられ、前記部材に外力が加わった際、前記電力供給回路がオープン状態となるスイッチ部から構成され前記外力検出手段を兼ねていることが好ましい。
本発明に係る画像表示装置では、部材に何らかの理由で外力が加わった場合、外力検出手段が、光源装置の電源の電源供給回路の一部に設けられているため、電力供給回路のスイッチ部がオープン状態となる。これにより、光源装置には電源からの電力が供給されないため、レーザ光は停止する。したがって、光源装置から表示するのに必要以上のレーザ光が、確実に外部に照射されることを防ぎ、装置全体の信頼性を向上させることが可能となる。
【００１３】
また、本発明の画像表示装置は、前記光制御手段が、前記被投射面に投射されるレーザ光を遮光可能な遮光部材を備え、前記光源装置から射出されたレーザ光が遮光されるように前記遮光部材の動作を制御することが好ましい。
本発明に係る画像表示装置では、光源装置から射出されたレーザ光が、走査手段により走査され、被投射面上に投射される。そして、部材に何らかの理由で外力が加わった場合、光制御手段により、遮光部材によって被投射面に射出されるレーザ光を停止させるように遮光部材の動作を制御する。したがって、光源装置から表示するのに必要以上のレーザ光が、遮光部材により確実に外部に照射されることを防ぎ、装置全体の信頼性を向上させることが可能となる。なお、遮光部材によってレーザ光を停止させる前もしくは後に、光源装置自体の発振を止めても良い。
【００１４】
また、本発明の画像表示装置は、前記部材が破損したか否かを検出する破損検出手段を備え、前記破損検出手段が、前記部材の破損を検出した際、前記光制御手段が前記レーザ光を停止するか、あるいは、前記レーザ光を減光したままの状態とすることが好ましい。
本発明に係る画像表示装置では、破損検出手段により、部材が破損したか否かを検出することにより、部材が破損しているのに、外力がなくなったときに、光源装置が復帰してしまう危険性を回避することができる。
【００１５】
また、本発明の画像表示装置は、前記破損検出手段が、前記被投射面に対して走査しつつ、前記被投射面の一部を撮像する撮像部を備えることが好ましい。
本発明に係る画像表示装置では、外力検出手段により外力を検出し、レーザ光を停止あるいは減光した際、撮像部により、被投射面を走査しつつ撮像する。そして、被投射面に異常が生じていない場合は、被投射面に光源装置から射出されたレーザ光を投射する。これにより、確実に被投射面の異常を検出することができる。したがって、本発明では、レーザ光を停止あるいは減光してから、撮像部により被投射面を走査するため、ある程度の時間をかけて被投射面の検証を行うことができるので、従来のように、被投射面全体を一度に検出しなくても良い。したがって、表示するのに必要以上のレーザ光が外部に射出されるのを確実に防ぐことができる。
【００１６】
また、本発明のレーザ機器は、レーザ光を射出する光源装置と該光源装置から射出されたレーザ光を走査する走査手段とを有し、前記光源装置から射出されたレーザ光を走査するレーザ機器において、前記光源装置から射出されたレーザ光の光路の延長上に配置された部材に加わる外力を検出する外力検出手段と、該外力検出手段により外力を検出した際、前記被投射面に射出されるレーザ光を停止あるいは減光する光制御手段とを備えることを特徴とする。
【００１７】
本発明に係るレーザ機器では、光源装置から射出されたレーザ光が、走査手段により走査され、被投射面上に投射される。そして、光源装置から射出されたレーザ光の光路の延長上に配置された部材に何らかの理由で外力が加わった場合、光制御手段により、被投射面に射出されるレーザ光を停止あるいは減光する。したがって、外力検出手段により部材に外力が加わったことを検出、すなわち、装置の異常の前兆を検出して光源装置を制御するので、実際に異常が起きる前に対策を施すことになる。したがって、簡易な構成により、必要以上のレーザ光が外部に照射されることを防ぎ、レーザ機器の信頼性を向上させることが可能となる。
【発明を実施するための最良の形態】
【００１８】
以下、本発明の実施形態につき、図面を参照して説明する。なお、以下の説明に用いる各図面では、各部材を認識可能な大きさとするため、各部材の縮尺を適宜変更している。
【００１９】
［プロジェクタの第１実施形態］
次に、本発明の第１実施形態について、図１から図３を参照して説明する。
本実施形態に係るプロジェクタとして、スクリーンの背面からレーザ光を照射する背面型レーザプロジェクタを用いて説明する。
【００２０】
プロジェクタ（画像表示装置）１は、図１に示すように、筐体２内に設けられ、レーザ光を射出する光源装置１０と、光源装置１０から射出されたレーザ光を２次元方向に走査するミラーデバイス（走査手段）２０と、ミラーデバイス２０より走査されたレーザ光を反射ミラー５１に投射させる投射レンズ３０と、光源装置１０，ミラーデバイス２０を制御する制御部４０とを備えている。この反射ミラー５１は、筐体２の筐体前部２ａに備えられたスクリーン（被投射面）５２に対向した筐体２の筐体後部２ｂに設けられており、投射レンズ３０から射出されたレーザ光をスクリーン５２に投射させるものである。また、投射レンズ３０は、ミラーデバイス２０により走査されたレーザ光を拡大して反射ミラー５１に投射するものである。
【００２１】
ミラーデバイス２０は、光源装置１０から射出されたレーザ光を２次元方向に走査することによって画像を形成するデバイスである。ミラーデバイス２０の動作は、制御部４０により、光源装置１０として、例えば、赤色，緑色，青色レーザダイオード（図示略）の画像出力に同期するように行われる。
【００２２】
本実施形態では、外力検出手段として、図２及び図３に示すように、スクリーン５２の下部（他端）５２ｂに設けられスクリーン５２に外力が加わった際、スクリーン５２を回動させるヒンジ３と、スクリーン５２の上部５２ａ（一端）に設けられスクリーン５２の回動に応じて接続あるいは切断されるインターロックスイッチ（スイッチ部）５とを備えている。
ヒンジ３は、筐体２に、筐体前部２ａとスクリーン５２とを連結するように設けられている。このヒンジ３により、スクリーン５２に外部から外力が加わると、スクリーン５２はヒンジ３を支点として筐体２の筐体後部２ｂに向かって回動可能になっている。また、筐体２の上部には、スクリーン５２の移動量を規制するＬ字状のストッパ４が設けられている。
【００２３】
次に、インターロックスイッチ５について説明する。
インターロックスイッチ５は、図２に示すように、スクリーン（部材）５２の上部５２ａに設けられており、光源装置１０から射出されたレーザ光の光路の延長上に配置されたスクリーン５２に装置の外側から加わる外力を検出するものである。この場合の外力とは、人や物がスクリーン５２にぶつかって、スクリーン５２が破損する際の外力を想定している。
このインターロックスイッチ５は、図２に示すように、スクリーン５２が、正常の状態では、このインターロックスイッチ５を介して筐体２の筐体前部２ａに密着している。そして、インターロックスイッチ５は、ＯＮ状態となっている。また、スクリーン５２は、筐体２の筐体前部２ａに設けられたマグネット等により筐体２と着脱可能となっている。
一方、スクリーン５２に外力が加わり、スクリーン５２が異常状態となった場合、図３に示すように、スクリーン５２は、筐体２から離れるため、インターロックスイッチ５はＯＦＦ状態となるように構成されている。
なお、スクリーン５２は、インターロックスイッチ５がＯＦＦ状態になると、ボタン等を押すことにより自動的に筐体２の筐体前部２ａに戻るようになっている。また、弾性部材（バネ等）を付勢させて配置し、スクリーン５２に外力が加わっても自然に戻る構成であっても良い。
【００２４】
制御部４０は、インターロックスイッチ５により外力を検出した際（スクリーン５２が異常状態である場合）、すなわち、インターロックがＯＦＦ状態となると、スクリーン５２に射出されるレーザ光を停止あるいは減光する光制御手段として、例えば、レーザドライバ（図示略）を備えている。
【００２５】
次に、以上の構成からなる本実施形態のプロジェクタ１の作用について説明する。
スクリーン５２の状態が正常、すなわち、インターロックスイッチ５がＯＮ状態である場合、レーザドライバにより光源装置１０を点灯させる。一方、スクリーン５２に外力が加わり、インターロックスイッチ５が異常状態、すなわち、インターロックスイッチ５がＯＦＦ状態となると、レーザドライバに異常信号が入力される。レーザドライバは、この異常信号を受けて、光源装置１０から射出されるレーザ光を停止あるいは減光する。その後、スクリーン５２は自動的に筐体２の筐体前部２ａに戻る。
【００２６】
本実施形態に係るプロジェクタ１によれば、インターロックスイッチ５によりスクリーン２に外力が加わったことを検出、すなわち、プロジェクタ１の異常の前兆を検出して、レーザドライバにより光源装置１０を制御するので、実際に異常が起きる前に対策を施すことになる。したがって、実際にスクリーン５２が破損したかを検出するよりも、外力が加わったかどうかを検出する方が装置としては、簡易な構成になり、表示するのに必要以上のレーザ光が外部に照射されることを防ぎ、プロジェクタ１全体の信頼性を向上させることが可能となる。また、スクリーン５２に外力が加わっても、スクリーン５２がヒンジ３を介して回動することで、ある程度の外力であれば、スクリーン５２の破損を防止することできる。
なお、本実施形態において、スクリーン５２がヒンジ３を介して回動する構成としたが、ヒンジ３は必ずしも必要ではない。
【００２７】
［プロジェクタの第２実施形態］
次に、本発明に係る第２実施形態について、図４から図７を参照して説明する。なお、以下に説明する各実施形態において、上述した第１実施形態に係るプロジェクタ１と構成を共通とする箇所には同一符号を付けて、説明を省略することにする。
本実施形態に係るプロジェクタ５５において、第１実施形態と異なる点は、制御部４０の構成及びスクリーンが破損したか否かを検出する破損検出手段を備える点である。
【００２８】
本実施形態では、破損検出手段として、図４に示すように、スクリーン５２に対して走査しつつ、スクリーン５２の一部を撮像するカメラ（撮像部）５３を用いる。このカメラ５３により、スクリーン５２の破損を検出した際、後述するレーザドライバ（光制御手段）１１はレーザ光を停止するか、あるいは、レーザ光を減光したままの状態とするようになっている。
【００２９】
次に、制御部４０の構成を図５に示すブロック図を用いて説明する。
制御部４０は、インターロックスイッチ５により外力を検出した際（スクリーン５２が異常状態である場合）、すなわち、インターロックがＯＦＦ状態となると、スクリーン５２に射出されるレーザ光を停止あるいは減光する光制御手段（レーザドライバ）１１を備えている。また、このレーザドライバ１１は、画像認識及び検出回路４３からの電気信号に基づいて光源装置１０の制御を行うようになっている。すなわち、レーザドライバ１１は、画像認識及び検出回路４３から出力された電気信号が正常信号である場合、光源装置１０を点灯させるようなっている。
【００３０】
さらに、インターロックスイッチ５が正常である場合、カメラ５３を制御するカメラドライバ４２に駆動信号を送る起動及び復帰検出回路４１と、カメラ５３により撮像された画像を認識し、スクリーン５２の状態を検証する画像認識及び検出回路４３とを備えている。また、画像認識及び検出回路４３より検証された判定信号は、カメラドライバ４２及びレーザドライバ１１に送られるようになっている。
さらに、カメラ５３には、２軸方向に移動可能なスキャナが設けられており、カメラ５３はこのスキャナにより、図６に示すように、センシング領域Ａを撮像し、スクリーン５２に対して上下左右に走査可能となっている。
【００３１】
また、画像認識及び検出回路４３には、プロジェクタ１を起動させる電源スイッチ６がＯＮ状態になった場合にも、カメラドライバ４２を駆動させる駆動信号がカメラドライバ４２に送られるようになっている。すなわち、プロジェクタ１を起動させる電源スイッチ６がＯＮになると、スクリーン５２の状態を検証するようになっている。
【００３２】
上記のように構成された制御部４０の動作について説明する。図７は、プロジェクタ１のスクリーン５２の状態の検証の処置の流れを示すフローチャート図である。
まず、プロジェクタ１の電源を切っている間に、スクリーン５２が破損している可能性があるため、電源スイッチ６をＯＮにしたとき、インターロックスイッチ５の状態を確認する（ステップＳ１）。インターロックスイッチ５が正常であるとき（ステップＳ１，「正常」）、起動及び復帰検出回路４１から駆動信号がカメラドライバ４２に送られる。カメラドライバ４２はこの駆動信号を受け、カメラ５３及びスキャナを駆動させ、スクリーン５２の状態の検出を行う（ステップＳ２）。そして、カメラ５３により撮像された画像は、画像認識及び検出回路４３により認識され、検証が行われる（ステップＳ３）。この検証された判定信号は、カメラドライバ４２及びレーザドライバ１１に常に送られ、スクリーン５２の状態が正常である場合（ステップＳ３，「正常」）、カメラ５３を停止し（ステップＳ４）、レーザドライバ１１により光源装置１０を点灯させる（ステップＳ７）。一方、スクリーン５２の状態が異常である場合（ステップＳ３，「異常」）、カメラ５３を停止した後（ステップＳ５）、エラー表示を行う（ステップＳ６）。
【００３３】
そして、スクリーン５２の状態が正常となり起動されてから、制御部４０は常にインターロックスイッチ５の状態を検出する（ステップＳ８）。ここで、インターロックスイッチ５が異常状態（ステップＳ８，「異常」、すなわち、インターロックスイッチ５がＯＦＦ状態となると、レーザドライバ１１に異常信号が入力される。レーザドライバ１１は、この異常信号を受けて、光源装置１０から射出されるレーザ光を停止あるいは減光する（ステップＳ９）。その後、スクリーン５２は自動的に筐体２の筐体前部２ａに戻る。これにより、インターロックスイッチ５は正常状態となり、ステップＳ１に戻り、上述したフローが実行される。
【００３４】
本実施形態に係るプロジェクタ５５によれば、インターロックスイッチ５により外力を検出し、レーザ光を停止あるいは減光した際、カメラ５３により、スクリーン５２を走査しつつ撮像するため、確実にスクリーン５２の異常を検出することができる。したがって、本発明では、レーザ光を停止あるいは減光してから、カメラ５２によりスクリーン５２を走査するため、ある程度の時間をかけて被投射面の検証を行うことができるので、従来のように、被投射面全体を一度に検出しなくても良い。したがって、表示するのに必要以上のレーザ光が外部に射出されるのを確実に防ぐことができる。さらに、カメラ５３により、スクリーン５２が破損したか否かを検出することにより、スクリーン５２が破損しているのに、外力がなくなったときに、光源装置１０が復帰してしまう危険性を回避することができる。
【００３５】
［プロジェクタの第３実施形態］
次に、本発明に係る第３実施形態について、図８及び図９を参照して説明する。
本実施形態に係るプロジェクタ６０において、第１実施形態と異なる点は、インターロックスイッチ５に代えてスイッチ部（光制御手段）６１が設けられている点である。
【００３６】
スイッチ部６１は、図８に示すように、光源装置１０に電力を供給する電源６２の電力供給回路６３の一部に設けられている。そして、スクリーン５２は、正常の状態では、スイッチ部６１を介して筐体前部２ａに密着している。
一方、スクリーン５２に外力が加わり、スクリーン５２が異常状態である場合、図９に示すように、スクリーン５２は、筐体２から離れるため、電力供給回路６３のスイッチ部６１はオープン状態となり、光源装置１０に電源６２から電力の供給が遮断されるようになっている。すなわち、スイッチ部６１は外力検出手段を兼ねている。
【００３７】
本発明に係るプロジェクタ６０では、スクリーン５２に何らかの理由で外力が加わった場合、スイッチ部６１が、光源装置１０の電源６２の電源供給回路６３の一部に設けられているため、電力供給回路６３がオープン状態となる。これにより、光源装置１０には電源６２からの電力が供給されないため、レーザ光は停止する。したがって、光源装置１０から表示するのに必要以上のレーザ光が、確実に外部に照射されることを防ぎ、プロジェクタ６０全体の信頼性を向上させることが可能となる。
【００３８】
なお、本発明の技術範囲は上記実施形態に限定されるものではなく、本発明の趣旨を逸脱しない範囲において種々の変更を加えることが可能である。
例えば、レーザ光を射出する光源装置と、この光源装置から射出されたレーザ光を走査する走査手段とを有し、光源装置から射出されたレーザ光を走査するレーザ機器として上述したプロジェクタを用いて説明したが、レーザ描画機器，レーザ加工機，レーザ顕微鏡，その他光源装置が密閉空間を有する筐体内に配置されている構造を持つレーザ機器全般に、光源装置から射出されたレーザ光の光路の延長上に配置された部材に加わる外力を検出する外力検出手段と、この外力検出手段により外力を検出した際、前記被投射面に射出されるレーザ光を停止あるいは減光する光制御手段とを備えたレーザ機器を設けた構成にすることも可能である。
【００３９】
この構成では、光源装置から射出されたレーザ光が、走査手段により走査され、被投射面上に投射される。そして、光源装置から射出されたレーザ光の光路の延長上に配置された部材に何らかの理由で外力が加わった場合、光制御手段により、被投射面に射出されるレーザ光を停止あるいは減光する。したがって、外力検出手段により筐体に外力が加わったことを検出、すなわち、装置の異常の前兆を検出して光源装置を制御するので、実際に異常が起きる前に対策を施すことになる。したがって、簡易な構成により、必要以上のレーザ光が外部に照射されることを防ぎ、レーザ機器の信頼性を向上させることが可能となる。
【００４０】
また、光制御手段としてレーザドライバ１１を用い、レーザ光を停止あるいは減光させたが、これに限ることはない。プロジェクタ７０は、図１０に示すように、スクリーン５２に投射されるレーザ光を遮光可能な遮光部材７１を備え、制御部４０に設けられた光制御手段により、光源装置１０から射出されたレーザ光が遮光されるように遮光部材７１の動作を制御するようになっている。
この構成では、スクリーン５２に何らかの理由で外力が加わった場合、上述したレーザドライバ１１により、遮光部材７１によってスクリーン５２に射出されるレーザ光を停止させるように遮光部材７１の動作を制御する。したがって、光源装置１０から表示するのに必要以上のレーザ光が、遮光部材７１により確実に外部に照射されることを防ぎ、プロジェクタ７０全体の信頼性を向上させることが可能となる。なお、遮光部材７１によってレーザ光を停止させる前もしくは後に、光源装置１０自体の発振を止めても良い。
【００４１】
インターロックスイッチ５は、スクリーン５２に限らず、光源装置１０から射出されたレーザ光の光路の延長上に配置された部材に加わる外力を検出すれば良いため、例えば、筐体後部２ｂに設けられた反射ミラーに加わる外力を検出しても良い。
また、外力検出手段としてインターロックスイッチ５を用いたが、これに限らず圧力センサ等であっても良い。
【図面の簡単な説明】
【００４２】
【図１】本発明の第１実施形態に係るプロジェクタを示す平面図である。
【図２】図１のプロジェクタのスクリーンが正常な状態を示す概略図である。
【図３】図１のプロジェクタのスクリーンが異常な状態を示す概略図である。
【図４】本発明の第２実施形態に係るプロジェクタを示す平面図である。
【図５】図４の制御手段を示すブロック図である。
【図６】図４のカメラのスクリーンに対するセンシング領域を示す概略図である。
【図７】図４のプロジェクタの動作を説明するためのフローチャートである。
【図８】本発明の第３実施形態に係るプロジェクタのスクリーンが正常な状態を示す概略図である。
【図９】本発明の第３実施形態に係るプロジェクタのスクリーンが異常な状態を示す概略図である。
【図１０】各実施形態に係るプロジェクタの変形例を示す平面図である。
【符号の説明】
【００４３】
１，６０，７０…プロジェクタ（画像表示装置）、２…筐体、２ａ…筐体前部、２ｂ…筐体後部、３…ヒンジ、５…インターロックスイッチ（スイッチ部）、１０…光源装置、１１…レーザドライバ（光制御手段）、５２…スクリーン（部材）、５３…カメラ（撮像部）、６１…スイッチ部（外力検出手段）、７１…遮光部材
【図１】
2007047529.tif 000003
【図２】
2007047529.tif 000004
【図３】
2007047529.tif 000005
【図４】
2007047529.tif 000006
【図５】
2007047529.tif 000007
【図６】
2007047529.tif 000008
【図７】
2007047529.tif 000009
【図８】
2007047529.tif 000010
【図９】
2007047529.tif 000011
【図１０】
2007047529.tif 000012